(57)【特許請求の範囲】
【請求項１】
複数の鍵が鍵盤シャーシ上に上下方向に回転可能に取り付けられた状態で並列に配列された鍵盤装置において、
前記鍵盤シャーシ上に設けられ、前記複数の鍵をそれぞれ上下方向にガイドする複数の鍵ガイド部と、
この複数の鍵ガイド部にそれぞれ設けられ、前記複数の鍵を押鍵操作した際に、その押鍵操作された前記鍵に対して摩擦抵抗による負荷をそれぞれ付与する複数の負荷付与部材と、
前記複数の鍵にそれぞれ設けられ、押鍵操作された前記複数の鍵の押し下げ動作が終了する際に、その鍵に対する前記負荷付与部材による負荷の付与をそれぞれ解除する複数の負荷付与解除部と、を備え、
前記複数の負荷付与部材の夫々には、当該負荷付与部材に対応する前記鍵ガイド部に設けられた支持部と、この支持部に設けられて前記鍵が押鍵操作された際にこの押鍵操作された前記鍵との間に生じる摩擦抵抗に応じて変形し、この変形に伴う摩擦抵抗による負荷を前記鍵に対して付与する摩擦変形部とを備え、
前記複数の負荷付与解除部の夫々は、前記複数の負荷付与部材を前記鍵の摺動面から離間させるための段差凹部であることを特徴とする鍵盤装置。
【請求項２】
請求項１に記載の鍵盤装置において、前記摩擦変形部は、前記支持部の上下部に第１、第２の各屈曲部を介して斜め上方に向けて延びた状態で設けられた第１、第２の各アーム部と、この第１、第２の各アーム部の各先端部にそれぞれ第３の屈曲部を介して上下に張り渡され、前記鍵の内側面に接離可能な状態で接触して摺動する摩擦アーム部とを備えていることを特徴とする鍵盤装置。
【請求項３】
請求項１または請求項２に記載の鍵盤装置において、前記負荷付与部材は、前記鍵を押鍵操作して前記摩擦変形部が弾性変形した際に、その弾性変形状態を規制する変形規制部を備えていることを特徴とする鍵盤装置。
【請求項４】
請求項１〜請求項３のいずれかに記載の鍵盤装置において、前記鍵と前記負荷付与部材との間には、粘性を有する潤滑剤が設けられていることを特徴とする鍵盤装置。
【請求項５】
請求項１〜請求項４のいずれかに記載の鍵盤装置において、前記複数の鍵ガイド部は前記鍵盤シャーシにそれぞれ一体に形成されており、前記複数の負荷付与部材は前記複数の鍵ガイド部にそれぞれ一体に形成されており、前記複数の負荷付与解除部は前記複数の鍵にそれぞれ一体に形成されていることを特徴とする鍵盤装置。
【発明の詳細な説明】
【技術分野】
【０００１】
この発明は、電子ピアノや電子オルガンなどの鍵盤楽器に用いられる鍵盤装置に関する。
【背景技術】
【０００２】
従来、電子ピアノなどの鍵盤装置においては、特許文献１に記載されているように、鍵盤シャーシ上に上下方向に回転可能に配置された鍵の横振れを防ぐために、鍵盤シャーシに鍵ガイド部を設けると共に、鍵に負荷を付与して鍵荷重を重くするために、鍵ガイド部に、鍵の内部に挿入して鍵の前後方向に弾性変形する弾性部と、この弾性部の両側に設けられた摺動部と、弾性部の先端部に設けられた摩擦部とを設けた構成のものが知られている。
【先行技術文献】
【特許文献】
【０００３】
【特許文献１】特開２００８−１４５８１９号公報
【０００４】
このような従来の鍵盤装置は、鍵が押鍵操作された際に、鍵ガイド部の摺動部が鍵の内部における両側面に接触して摺動することにより、鍵の横振れを防ぐと共に、弾性部の摩擦部が鍵の内部における前後方向に位置する内面に弾性部の弾力によって弾接して摺動することにより、鍵に摩擦抵抗による負荷を付与するように構成されている。
【発明の概要】
【発明が解決しようとする課題】
【０００５】
しかしながら、このような従来の鍵盤装置では、鍵ガイド部の弾性部が鍵に常に一定の弾性力で弾接しているので、鍵を押鍵操作した際に、その押鍵操作開始時においても、また押鍵操作終了時においても、一定の負荷を鍵に付与するため、アコースティックピアノに近似した鍵タッチ感を得ることができないという問題がある。
【０００６】
このような問題を解消するため、従来の鍵盤装置では、鍵に負荷を付与する鍵ガイド部を鍵盤シャーシに設けるほかに、この鍵盤シャーシに、鍵の押鍵操作に応じてそれぞれ鍵にアクション荷重を付与するハンマー部材を上下方向に回転可能に取り付けた構成のものも開発されている。
【０００７】
しかしながら、このようなハンマー部材を備えた鍵盤装置では、複数の鍵に対応させて複数のハンマー部材を鍵盤シャーシに設けなければならないため、部品点数が多くなり、組立作業が煩雑で、製作コストが高くなるばかりか、ハンマー部材の重量によって装置全体の重量が極めて重くなり、持ち運びが不便であるなどの問題が生じる。
【０００８】
この発明が解決しようとする課題は、ハンマー部材を用いずに、押鍵操作時にアコースティックピアノに近似した鍵タッチ感を得ることができる鍵盤装置を提供することである。
【課題を解決するための手段】
【０００９】
この発明は、複数の鍵が鍵盤シャーシ上に上下方向に回転可能に取り付けられた状態で並列に配列された鍵盤装置において、前記鍵盤シャーシ上に設けられ、前記複数の鍵をそれぞれ上下方向にガイドする複数の鍵ガイド部と、この複数の鍵ガイド部にそれぞれ設けられ、前記複数の鍵を押鍵操作した際に、その押鍵操作された前記鍵に対して摩擦抵抗による負荷をそれぞれ付与する複数の負荷付与部材と、前記複数の鍵にそれぞれ設けられ、押鍵操作された前記複数の鍵の押し下げ動作が終了する際に、その鍵に対する前記負荷付与部材による負荷の付与をそれぞれ解除する複数の負荷付与解除部と、を備え、前記複数の負荷付与部材の夫々には、当該負荷付与部材に対応する前記鍵ガイド部に設けられた支持部と、この支持部に設けられて前記鍵が押鍵操作された際にこの押鍵操作された前記鍵との間に生じる摩擦抵抗に応じて変形し、この変形に伴う摩擦抵抗による負荷を前記鍵に対して付与する摩擦変形部とを備え、前記複数の負荷付与解除部の夫々は、前記複数の負荷付与部材を前記鍵の摺動面から離間させるための段差凹部であることを特徴とする鍵盤装置である。
【発明の効果】
【００１０】
この発明によれば、鍵を押鍵操作した際に、その押鍵操作された鍵に対して負荷付与部材が摩擦抵抗による負荷を付与して鍵荷重を重くすることができると共に、鍵の押鍵操作が終了する際には、負荷付与解除部によって鍵荷重を急激に軽くして鍵荷重が抜ける鍵タッチ感を得ることができる。このため、ハンマー部材を用いずに、アコースティックピアノに近似した鍵タッチ感を得ることができると共に、鍵を速やかに初期位置に復帰させることができ、これにより演奏性を向上させることができるほか、装置全体の重量を大幅に軽くすることができ、これにより持ち運びに便利なものを提供することができる。
【図面の簡単な説明】
【００１１】
【図１】この発明を鍵盤楽器に適用した実施形態１を示した断面図である。
【図２】図１に示された鍵盤楽器のＡ−Ａ矢視における鍵ガイド部の要部を示した拡大断面図である。
【図３】図２に示された鍵ガイド部において、鍵が押鍵操作されて負荷付与部材の摩擦変形部が弾性変形して鍵に負荷を付与する状態を示した要部の拡大断面図である。
【図４】図３に示された鍵ガイド部において、鍵が更に押し下げられて負荷付与解除部によって鍵に付与された負荷が解除された状態を示した要部の拡大断面図である。
【図５】図１に示された鍵盤楽器における鍵ストロークと鍵荷重との特性を示した図である。
【図６】この発明を鍵盤楽器に適用した実施形態２において、鍵ガイド部の要部を示した拡大断面図である。
【図７】図６に示された鍵ガイド部において、鍵が押鍵操作されて負荷付与部材の摩擦変形部が弾性変形して鍵に負荷を付与する状態を示した要部の拡大断面図である。
【図８】図７に示された鍵ガイド部において、鍵が更に押し下げられて負荷付与解除部によって鍵に付与された負荷が解除された状態を示した要部の拡大断面図である。
【図９】この発明を鍵盤楽器に適用した実施形態３において、鍵ガイド部の要部を示した拡大断面図である。
【図１０】図９に示された鍵ガイド部において、鍵が押鍵操作されて負荷付与部材の摩擦変形部が弾性変形して鍵に負荷を付与する状態を示した要部の拡大断面図である。
【図１１】図１０に示された鍵ガイド部において、鍵が更に押し下げられて負荷付与解除部によって鍵に付与された負荷が解除された状態を示した要部の拡大断面図である。
【発明を実施するための形態】
【００１２】
（実施形態１）
以下、図１〜図５を参照して、この発明を鍵盤楽器に適用した実施形態１について説明する。
この鍵盤楽器は、図１に示すように、楽器ケース１を備えている。この楽器ケース１は、下部ケースを兼ねる鍵盤シャーシ２と、この鍵盤シャーシ２の後側上部（図１では右側上部）に設けられた上部ケース３とで構成されている。
【００１３】
この楽器ケース１の内部には、図１に示すように、鍵盤部４が上方に露呈した状態で配置されている。また、この鍵盤部４の後方（図１では右側）に位置する楽器ケース１の内部には、回路基板５やスピーカ（図示せず）などの楽器に必要な各種の電子部品が設けられている。鍵盤部４は、合成樹脂からなる複数の鍵６を備えている。この複数の鍵６は、図１に示すように、白鍵７と黒鍵８とを有し、鍵盤シャーシ２上に上下方向に回転可能に取り付けられた状態で並列に配列されている。
【００１４】
この場合、複数の鍵６のうち、複数の白鍵７は、図１に示すように、その各後端部（図１では右端部）に上下方向に撓み変形する薄肉の屈曲部７ａがそれぞれ形成され、この薄肉の屈曲部７ａが鍵６の配列方向（図１では紙面の表裏面方向）に連続する共通支持部７ｂにそれぞれ連結されていることにより、この共通支持部７ｂに連結された各屈曲部７ａによってそれぞれ上下方向に変位可能な状態で、鍵６の配列方向に沿って並列に配列されている。
【００１５】
また、複数の黒鍵８は、図１に示すように、その各後端部（図１では右端部）に上下方向に撓み変形する薄肉の屈曲部８ａがそれぞれ形成され、この薄肉の屈曲部８ａが鍵６の配列方向（図１では紙面の表裏面方向）に連続する共通支持部８ｂにそれぞれ連結されていることにより、この共通支持部８ｂに連結された各屈曲部８ａによってそれぞれ上下方向に変位可能な状態で、鍵６の配列方向に沿って並列に配列されている。
【００１６】
これにより、複数の鍵６は、図１に示すように、複数の白鍵７の各間に複数の黒鍵８をそれぞれ配置して、白鍵７の共通支持部７ｂと黒鍵８の共通支持部８ｂとを重ね合わせ、この状態で各共通支持部７ｂ、８ｂを鍵盤シャーシ２上に複数のビス９によって取り付けることにより、各白鍵７がそれぞれ屈曲部７ａを中心に上下方向に回転すると共に、各黒鍵８がそれぞれ屈曲部８ａを中心に上下方向に回転するように構成されている。
【００１７】
一方、鍵盤シャーシ２は、図１に示すように、楽器ケース１の下部ケースを兼ねるものであり、合成樹脂によって形成されている。この鍵盤シャーシ２の前端部（図１では左端部）には、鍵６の前端面に対応する前カバー部１０が底部から上方に突出して形成されている。この前カバー部１０の後部側（図１では右側）に位置する鍵盤シャーシ２の箇所には、白鍵７を上下方向にガイドするための後述する鍵ガイド部１１が上方に突出して形成されている。
【００１８】
また、この鍵盤シャーシ２における白鍵用の鍵ガイド部１１の後部側（図１では右側）に位置する箇所には、各鍵６の上下位置を規制する鍵位置規制部１２が形成されている。この鍵位置規制部１２は、鍵ガイド部１１の後側下部（図１では右下部）から斜め上方に向けて延び、この斜め上方に延びた上端部から後方（図１では右側）に向けて水平に延び、この延びた後端部（図１では右端部）から垂下され、この垂下された下端部から更に後方（図１では右側）に向けて水平に延びた構成であることにより、全体がほぼ山形の形状に形成されている。
【００１９】
この場合、鍵位置規制部１２における垂下された部分には、図１に示すように、開口部１２ａが形成されている。また、この開口部１２ａの上部における前側（図１では左側）に位置する水平な部分の下面には、上限ストッパ部１２ｂが設けられている。さらに、開口部１２ａの下部における後側（図１では右側）に位置する水平な部分の上面には、下限ストッパ部１２ｃが設けられている。
【００２０】
これにより、鍵位置規制部１２は、図１に示すように、白鍵７および黒鍵８の各鍵６にその下側に突出して形成された鍵突起部１３の下部から前側（図１では左側）に向けて突出したフック部１３ａが、開口部１２ａ内に上下方向に移動可能に挿入され、この状態で鍵６が押鍵操作されると、鍵突起部１３のフック部１３ａが開口部１２ａ内を下側に移動して下限ストッパ部１２ｃに上方から当接することにより、鍵６を下限位置に規制するように構成されている。
【００２１】
また、この鍵位置規制部１２は、図１に示すように、押鍵操作された鍵６が初期位置（図１に示す状態）に戻る際に、鍵突起部１３のフック部１３ａが開口部１２ａ内を上側に移動して上限ストッパ部１２ｂに下側から当接することにより、鍵６を初期位置である上限位置に規制するように構成されている。
【００２２】
この鍵位置規制部１２の後部（図１では右側）に位置する鍵盤シャーシ２の箇所には、図１に示すように、白鍵７の場合と同様、黒鍵８を上下方向にガイドする後述する鍵ガイド部１１が上方に突出して形成されている。この黒鍵用の鍵ガイド部１１の後部側に位置する鍵盤シャーシ２の箇所には、スイッチ基板１４を搭載するための基板搭載部１５が形成されている。この場合、スイッチ基板１４は、複数の鍵６の配列方向に沿って連続する帯板状に形成されている。
【００２３】
このスイッチ基板１４上には、図１に示すように、複数のスイッチ部１６が各鍵６にそれぞれ対応して設けられている。この複数のスイッチ部１６は、スイッチ基板１４上に配置されて鍵６の配列方向に沿って連続するゴムシート１６ａを備えている。このゴムシート１６ａには、ドーム状の膨出部１６ｂが各鍵６にそれぞれ対応して設けられている。このドーム状の膨出部１６ｂ内には、可動接点（図示せず）がスイッチ基板１４上にそれぞれ設けられた各固定接点（図示せず）に接離可能な状態で対応して設けられている。
【００２４】
これにより、スイッチ部１６は、鍵６にそれぞれ形成されたスイッチ押圧部１７によってドーム状の膨出部１６ｂが上方から押圧されると、この押圧された膨出部１６ｂが弾性変形して、その内部に設けられた可動接点がスイッチ基板１４上の固定接点に接触することにより、押鍵操作された鍵６に対応するスイッチ信号を出力するように構成されている。
【００２５】
さらに、このスイッチ部１６が搭載された基板搭載部１５の後部側に位置する鍵盤シャーシ２の箇所には、図１に示すように、鍵支持部１８が底部から上方に向けて突出して形成されている。この鍵支持部１８は、図１に示すように、複数の鍵６における複数の白鍵７の各間に複数の黒鍵８が配置されて、白鍵７の共通支持部７ｂと黒鍵８の共通支持部８ｂとが重ね合わされ、この状態で各共通支持部７ｂ、８ｂが複数のビス９によって取り付けられるように構成されている。
【００２６】
また、上部ケース３は、図１に示すように、鍵盤部４の後部（図１では右側部）、つまり各鍵６の屈曲部７ａ、８ａおよび共通支持部７ｂ、８ｂを覆って鍵盤シャーシ２の後側上部に取り付けられている。すなわち、この上部ケース３は、その内面に取付ボス３ａが設けられ、この取付ボス３ａが鍵盤シャーシ２の後部に位置する底部に起立して設けられた支持ボス２ａにビス（図示せず）によって取り付けられることにより、鍵盤シャーシ２の後側上部に取り付けられている。この上部ケース３の内面には、回路基板５が取り付けられている。
【００２７】
ところで、複数の鍵６をそれぞれ上下方向にガイドする複数の鍵ガイド部１１は、図１および図２に示すように、それぞれ全体がほぼ平板状をなし、鍵盤シャーシ２上に起立した状態で一体に形成されている。すなわち、この鍵ガイド部１１は、図２に示すように、鍵６の配列方向（図２では左右方向）における長さ（幅Ｌ）が、これと同じ方向における鍵６の内部間の長さよりも少し短く形成されている。
【００２８】
この鍵ガイド部１１には、図２〜図４に示すように、鍵６を押鍵操作した際に、その押鍵操作された鍵６に対して摩擦抵抗による負荷を付与する負荷付与部材２０がそれぞれ設けられている。この負荷付与部材２０は、ポリプロピレンなどの合成樹脂からなり、鍵ガイド部１１に設けられたベース部２１と、このベース部２１に設けられた柱状の支持部２２と、この支持部２２に設けられた一対の摩擦変形部２３とを備えている。
【００２９】
ベース部２１は、図２に示すように、鍵ガイド部１１の上部に起立した状態で一体に形成されている。柱状の支持部２２は、ベース部２１の中心部上に起立して鍵６の内部に挿入する状態で一体に形成されている。一対の摩擦変形部２３は、図２〜図４に示すように、鍵６が押鍵操作された際にこの押鍵操作された鍵６との間に生じる摩擦抵抗に応じて弾性変形し、この弾性変形に伴う摩擦抵抗による負荷を鍵６に対して付与するように構成されている。
【００３０】
すなわち、この摩擦変形部２３は、図２に示すように、支持部２２の上下部に第１、第２の各屈曲部２４ａ、２５ａを介して斜め上方に向けて延びた状態で設けられた第１、第２の各アーム部２４、２５と、この第１、第２の各アーム部２４、２５の各先端部にそれぞれ第３の屈曲部２６ａを介して上下に張り渡された摩擦アーム部２６とを備えている。
【００３１】
第１のアーム部２４は、図２に示すように、支持部２２の上端部から鍵６の内側面６ａに向けて斜め上方に延びた状態で、第１の屈曲部２４ａを介して支持部２２に一体に形成されている。第２のアーム部２５は、支持部２２の下端部から鍵６の内側面６ａに向けて斜め上方に延びた状態で、第２の屈曲部２５ａを介して支持部２２に一体に形成されている。
【００３２】
この場合、第２のアーム部２５は、図２に示すように、第１のアーム部２４と同じ長さで、且つ第１のアーム部２４と平行に形成されている。また、第１、第２の各屈曲部２４ａ、２５ａは、肉厚の薄い薄肉部に形成された樹脂ヒンジ部であり、図２〜図４に示すように、それぞれ屈曲変形することにより、第１、第２の各アーム部２４、２５を上下方向に回転変位させるように構成されている。
【００３３】
また、摩擦アーム部２６は、図２に示すように、その上部が第３の屈曲部２６ａを介して第１のアーム部２４の先端部に一体に形成されていると共に、下部が第３の屈曲部２６ａを介して第２のアーム部２５の先端部に一体に形成されていることにより、鍵６の内側面６ａと平行な状態で上下方向に張り渡されている。
【００３４】
この摩擦アーム部２６は、図２〜図４に示すように、鍵６が押鍵操作された際に鍵６の内側面６ａに接離可能に接触することにより、押鍵操作された鍵６の内側面６ａとの間に摩擦抵抗が発生するように構成されている。また、この第３の各屈曲部２６ａも、肉厚の薄い薄肉部に形成された樹脂ヒンジ部であり、図２〜図４に示すように、それぞれ屈曲変形することにより、摩擦アーム部２６を鍵６の内側面６ａに沿って上下方向に変位させるように構成されている。
【００３５】
これにより、摩擦変形部２３は、図２に示すように、全体が平行四辺形をなすリンク形状に形成されていると共に、支持部２２を中心にその左右両側に線対称な状態で形成されている。このため、この摩擦変形部２３は、図２〜図４に示すように、鍵６が押鍵操作された際に、摩擦アーム部２６が鍵６の内側面６ａに接離可能な状態で接触しながら摺動することにより、押鍵操作された鍵６の内側面６ａとの間に摩擦抵抗を発生させるように構成されている。
【００３６】
また、この摩擦変形部２３は、図２〜図４に示すように、鍵６が押鍵操作されて鍵６の内側面６ａとの間に摩擦抵抗が発生した際に、その摩擦抵抗によって第１、第２の各アーム部２４、２５が第１、第２の各屈曲部２４ａ、２５ａを中心にそれぞれ下側に回転変位し、この第１、第２の各アーム部２４、２５の回転変位に伴って摩擦アーム部２６が鍵６の内側面６ａに押し付けられることにより、摩擦抵抗が増大するように構成されている。
【００３７】
一方、このような負荷付与部材２０は、図２〜図４に示すように、鍵６が押鍵操作されて一対の摩擦変形部２３が弾性変形した際に、その弾性変形状態を規制する一対の変形規制部２７を備えている。この一対の変形規制部２７は、支持部２２の両側に位置するベース部２１の上部にそれぞれ鍵６の内側面６ａに向けて斜め上方に緩やかに傾斜して設けられている。
【００３８】
これにより、この変形規制部２７は、図３に示すように、鍵６が押鍵操作されて摩擦変形部２３の第２のアーム部２５が下側に回転変位した際に、第２のアーム部２５が上方から当接して、第１、第２の各アーム部２４、２５の下側への回転変位を規制することにより、摩擦変形部２３の弾性変形を規制して、摩擦変形部２３による摩擦抵抗が最大になるように構成されている。
【００３９】
ところで、複数の鍵６には、図２〜図４に示すように、押鍵操作された鍵６の押し下げ動作が終了する際に、その鍵６に対する負荷付与部材２０による負荷の付与をそれぞれ解除する複数の負荷付与解除部２９が設けられている。この負荷付与解除部２９は、押鍵操作された鍵６の押し下げ動作が終了する際に、負荷付与部材２０の摩擦変形部２３を鍵２の内側面６ａから離間させるための段差凹部２９ａである。
【００４０】
すなわち、この負荷付与解除部２９の段差凹部２９ａは、図３および図４に示すように、鍵６が押し下げられて負荷付与部材２０の摩擦変形部２３が弾性変形し、この弾性変形した摩擦変形部２３が変形規制部２７によって規制されて摩擦抵抗が最大になった際に、摩擦変形部２３の摩擦アーム部２６を鍵２の内側面６ａから離間させるために、鍵６の内側面６ａを削り取って鍵６の肉厚を薄くした構成になっている。
【００４１】
この場合、負荷付与解除部２９の段差凹部２９ａは、図３に示すように、鍵６が押し下げられて負荷付与部材２０の摩擦変形部２３が変形規制部２７によって規制されて摩擦抵抗が最大になり、この状態で鍵６が更に押し下げられ、図４に示すように、押し下げ動作が終了する際に、摩擦変形部２３の摩擦アーム部２６の下端部が対応する鍵６の内側面６ａの位置から鍵６の内側面６ａの上端部に亘って、鍵６の肉厚を薄く形成した構成になっている。
【００４２】
また、この負荷付与部材２０と鍵６の内側面６ａとの間には、図２〜図４に示すように、粘性を有する潤滑剤２８が設けられている。この潤滑剤２８は、粘性を有する液状、またはゲル状（ゼリー状）のものであり、押鍵操作した際における鍵タッチ感に合う最適な粘性を有し、負荷付与部材２０における摩擦変形部２３の摩擦アーム部２６と鍵６の内側面６ａ（つまり、この鍵６の内側面６ａとは、負荷付与解除部２９の段差凹部２９ａを含む）との間に塗布されている。
【００４３】
この潤滑剤２８は、図２および図３に示すように、鍵６が押鍵操作されて押し下げられる際に、鍵６の内側面６ａと共に下側に移動する潤滑剤２８の粘性によって、摩擦変形部２３の摩擦アーム部２６を引き下げながら第１、第２の各アーム部２４、２５を下側に回転変位させることにより、摩擦アーム部２６を鍵６の内側面６ａに接触させて摩擦抵抗を発生させるように構成されている。また、この潤滑剤２８は、図３に示すように、鍵６が押鍵操作されて摩擦変形部２３の第２のアーム部２５が変形規制部２７に当接した際に、摩擦アーム部２６と鍵６の内側面６ａとを相対的に滑らせながら摺動させるように構成されている。
【００４４】
さらに、この潤滑剤２８は、図４に示すように、鍵６の押鍵操作が終了する際、つまり鍵６が下限ストッパ部１２ｃによって下限位置に規制される際に、摩擦アーム部２６の全体が鍵６の負荷付与解除部２９の段差凹部２９ａに対面して鍵６の内側面６ａから離れることにより、摩擦変形部２３の摩擦アーム部２６と鍵６の内側面６ａとの間に発生した摩擦抵抗を解除し、摩擦変形部２３を図２に示す元の状態に戻すように構成されている。
【００４５】
次に、このような鍵盤楽器において負荷付与部材２０を成形用金型で成形する場合について説明する。
この成形方法には、２通りの方法があり、１つの方法は負荷付与部材２０を鍵盤シャーシ２と同じ材料で同時に一体成形する方法であり、他の方法は負荷付与部材２０と鍵盤シャーシ２とを異なる材料で２色成形する方法である。
【００４６】
前者の方法は、予め、鍵盤シャーシ２を成形するための上金型と下金型とからなる成形用金型内に、スライドコアを用いて、負荷付与部材２０を形成するための空洞部（キャビティ）を形成する。そして、この成形用金型内にポリプロピレンなどの合成樹脂を射出する。この後、成形用金型を離型する際には、スライドコアを成形用金型内から引き抜く。これにより、負荷付与部材２０が鍵盤シャーシ２と同じ材料で同時に成形される。
【００４７】
また、後者の方法は、予め負荷付与部材２０と異なる合成樹脂で鍵盤シャーシ２を上金型と下金型とからなる一次成形用金型で成形する。この一次成形用金型で成形された鍵盤シャーシ２を上金型と下金型とからなる二次成形用金型内に配置して負荷付与部材２０を成形する。
【００４８】
このときには、二次成形用金型内に、スライドコアを用いて、負荷付与部材２０を形成するための空洞部（キャビティ）を形成する。この二次成形用金型内にポリプロピレンなどの合成樹脂を射出する。この後、二次成形用金型を離型する際には、スライドコアを二次成形用金型内から引き抜く。これにより、負荷付与部材２０が鍵盤シャーシ２と異なる材料で２色成形される。
【００４９】
また、鍵６を成形用金型で成形する場合には、鍵６を成形するための上金型と下金型とからなる成形用金型内に、スライドコアを用いて、負荷付与解除部２９の段差凹部２９ａを形成するための空洞部（キャビティ）を形成する。この成形用金型内にポリプロピレンなどの合成樹脂を射出し、この成形用金型を離型する際に、スライドコアを成形用金型内から引き抜くことにより、負荷付与解除部２９が形成された鍵６が形成される。
【００５０】
次に、このような鍵盤楽器で複数の鍵６を押鍵操作して演奏する場合にいて説明する。
図１において、複数の鍵６のうち、白鍵７を押鍵操作すると、白鍵７が屈曲部７ａを中心に反時計回りに回転する。また、複数の鍵６のうち、黒鍵８を押鍵操作すると、黒鍵８が屈曲部８ａを中心に反時計回りに回転する。このように鍵６が押鍵操作されて図１において反時計回りに回転すると、鍵６のスイッチ押圧部１７がスイッチ基板１４上のスイッチ部１６を押圧し、この押圧されたスイッチ部１６がスイッチ信号を出力する。これにより、楽音が発音される。
【００５１】
このように鍵６が押鍵操作されて図１において反時計回りに回転するときには、図３に示すように、負荷付与部材２０の一対の摩擦変形部２３が弾性変形して、鍵６に対して負荷を付与する。すなわち、鍵６が押鍵操作されて押し下げられる際には、鍵６の内側面６ａと共に下側に移動する潤滑剤２８の粘性によって、摩擦変形部２３の摩擦アーム部２６が引き下げられながら第１、第２の各アーム部２４、２５が下側に回転変位する。
【００５２】
これにより、図３に示すように、摩擦アーム部２６が鍵６の内側面６ａに押し付けられるので、摩擦変形部２３と鍵６の内側面６ａとの間に摩擦抵抗が発生し、この摩擦抵抗によって鍵６に負荷が付与され、鍵荷重が重くなる。このときには、鍵６の荷重が、図５に曲線Ａで示すように、急速に上昇し、鍵タッチが重くなる。
【００５３】
そして、鍵６が更に押し下げられて、摩擦変形部２３の第１、第２の各アーム部２４、２５が鍵６の内側面６ａと共に下側に回転変位すると、図３に示すように、第２のアーム部２５が変形規制部２７に上方から当接して、摩擦変形部２３の弾性変形が規制され、摩擦抵抗が最大になる。この状態で、鍵６が更に押し下げられると、図４に示すように、摩擦アーム部２６が鍵６の負荷付与解除部２９の段差凹部２９ａに対面し、摩擦アーム部２６が鍵２の内側面６ａから離れる。
【００５４】
このため、鍵６に対する摩擦アーム部２６の摩擦抵抗が急激に減少するので、鍵６の鍵荷重が急激に軽くなり、鍵荷重が抜ける鍵タッチ感が得られる。すなわち、図５に曲線Ａで示すように、鍵６が押し下げられるに伴って、鍵荷重が急速に増加するが、鍵６が更に押し下げられて、摩擦アーム部２６の全体が鍵６の負荷付与解除部２９の段差凹部２９ａに対面した際には、図５に曲線Ｂで示すように、摩擦アーム部２６による摩擦抵抗が極端に減少するため、鍵荷重が急激に軽くなり、鍵盤６に鍵荷重が抜ける鍵タッチ感が生じる。
【００５５】
この後、鍵６に設けられた鍵突起部１３のフック部１３ａが鍵盤シャーシ２の下限ストッパ部１２ｃに当接するので、図５に曲線Ｃで示すように、鍵６の荷重が再び急激に上昇し、鍵タッチが更に重くなる。この後、鍵２は、図１に示すスイッチ部１６の膨出部１６ｂの弾性復帰力および鍵６の屈曲部７ａ、８ａの弾性復帰力によって初期位置に戻る。
【００５６】
このときには、図４に示すように、摩擦変形部２３の摩擦アーム部２６が鍵６の負荷付与解除部２９の段差凹部２９ａに対面し、鍵６の内側面６ａに対する摩擦アーム部２６による摩擦抵抗が解除されているので、摩擦アーム部２６が第１〜第３の各屈曲部２４ａ、２５ａ、２６ａの弾性復帰力によって速やかに弾性復帰して鍵６の内側面６ａから離れる。これにより、鍵６が円滑に且つスムーズに上方に回転移動し、図５に曲線Ｄで示すように、鍵６の荷重が急激に低下する。
【００５７】
そして、鍵盤６が更に上方に回転移動して、摩擦変形部２３の摩擦アーム部２６が鍵６の負荷付与解除部２９の段差凹部２９ａから下側に相対的にずれると、摩擦変形部２３の摩擦アーム部２６が鍵６の内側面６ａに接近するので、摩擦アーム部２６による摩擦抵抗が少し発生し、図５の曲線Ｅに示すように、鍵６の荷重が少し重くなる。
【００５８】
しかし、このときには、負荷付与部材２０の第１、第２の各アーム部２４、２５が第１、第２の各屈曲部２４ａ、２５ａを中心に上方に向けて回転変位するので、摩擦アーム部２６による摩擦抵抗は増大せず、スイッチ部１６の膨出部１６ｂの弾性復帰力および鍵６の各屈曲部７ａ、８ａの弾性復帰力によって、鍵６が円滑に且つスムーズに上方に回転移動する。このため、図５に曲線Ｆで示すように、鍵６の荷重は徐々に低下して初期状態の鍵荷重に戻り、鍵６を速やかに初期位置に向けて戻す。
【００５９】
このときには、図１に示すように、スイッチ部１６がスイッチ押圧部１７を押し上げて初期状態に戻り、スイッチ部１６の膨出部１６ｂ内の可動接点がスイッチ基板１４の固定接点から上方に離れるので、スイッチ部１６がオフになり、楽音の発音が停止される。この後、鍵６に設けられた鍵突起部１３のフック部１３ａが鍵盤シャーシ２の上限ストッパ部１２ｂに当接して、鍵６が初期位置に規制され、次の押鍵準備に備える。
【００６０】
このように、この鍵盤楽器によれば、鍵盤シャーシ２上に設けられて複数の鍵６をそれぞれ上下方向にガイドする複数の鍵ガイド部１１と、この複数の鍵ガイド部１１にそれぞれ設けられ、複数の鍵６を押鍵操作した際に、その押鍵操作された鍵６に対して摩擦抵抗による負荷をそれぞれ付与する複数の負荷付与部材２０と、複数の鍵６にそれぞれ設けられ、押鍵操作された鍵６の押し下げ動作が終了する際に、その鍵６に対する負荷付与部材２０による負荷の付与をそれぞれ解除する複数の負荷付与解除部２９とを備えていることにより、ハンマー部材を用いずに、押鍵操作時にアコースティックピアノに近似した鍵タッチ感を得ることができる。
【００６１】
すなわち、この鍵盤楽器では、鍵６を押鍵操作した際に、その押鍵操作された鍵６に対して負荷付与部材２０が摩擦抵抗による負荷を付与するので、鍵荷重を重くすることができると共に、鍵６の押鍵操作が終了する際には、負荷付与解除部２９によって負荷付与部材２０による摩擦抵抗を解除するので、鍵荷重を急激に軽くして鍵荷重が抜ける鍵タッチ感を得ることができ、これにより鍵６を速やかに初期位置に向けて戻し、次の押鍵準備に備えることができるので、演奏性を向上させることができる。
【００６２】
このため、この鍵盤楽器では、従来例のようなハンマー部材を用いなくても、押鍵操作時に鍵６に負荷を付与して鍵タッチを確実に重くすることができると共に、負荷付与解除部２９によって鍵荷重を急激に軽くして鍵荷重が抜ける鍵タッチ感を得ることができるので、アコースティックピアノに近似した鍵タッチ感を得ることができる。また、この鍵盤楽器では、従来例のように重量の重いハンマー部材を用いる必要がないので、楽器全体の重量を大幅に軽くすることができ、これにより手軽に鍵盤楽器を持ち運ぶことができると共に、低価格なものを提供することができる。
【００６３】
この場合、負荷付与部材２０は、鍵ガイド部１１に設けられた支持部２２と、この支持部２２に設けられて鍵６が押鍵操作された際にこの押鍵操作された鍵６との間に生じる摩擦抵抗に応じて弾性変形し、この弾性変形に伴う摩擦抵抗による負荷を鍵６に対して付与する一対の摩擦変形部２３とを備えていることにより、鍵６が押鍵操作されると、鍵６と一対の摩擦変形部２３との間に摩擦抵抗を発生させ、この摩擦抵抗によって一対の摩擦変形部２３を弾性変形させることができ、この一対の摩擦変形部２３の弾性変形によって摩擦抵抗を増大させることができるので、鍵荷重を確実に且つ急速に重くすることができる。
【００６４】
また、支持部２２は、鍵６の内部に下側から挿入された状態で鍵ガイド部１１に設けられており、摩擦変形部２３は、支持部２２の上下部に第１、第２の各屈曲部２４ａ、２５ａを介して斜め上方に向けて延びた状態で設けられた第１、第２の各アーム部２４、２５と、この第１、第２の各アーム部２４、２５の各先端部にそれぞれ第３の屈曲部２６ａを介して上下に張り渡され、鍵６の内側面６ａに接離可能な状態で接触して摺動する摩擦アーム部２６とを備えているので、鍵６が押鍵操作されて押し下げられる際に、第１、第２の各アーム部２４、２５によって摩擦アーム部２６を鍵６の内側面６ａに押し付けることができ、この押し付けに伴う負荷を鍵６に対して確実に付与することができる。
【００６５】
すなわち、鍵６が押鍵操作されて押し下げられる際には、鍵６の内側面６ａと摩擦アーム部２６との間に摩擦抵抗が発生し、この摩擦抵抗によって第１、第２の各屈曲部２４ａ、２５ａが屈曲しながら第１、第２の各アーム部２４、２５を回転変位させて摩擦アーム部２６を鍵６の内側面６ａに確実に押し付けることができる。このため、鍵６の押し下げに伴って第１、第２の各アーム部２４、２５の回転変位が徐々に増大するので、鍵６の内側面６ａと摩擦アーム部２６との間に発生させる摩擦抵抗を急速に増大させることができ、これにより鍵荷重を速やかに重くすることができる。
【００６６】
また、負荷付与部材２０は、鍵６が押鍵操作されて一対の摩擦変形部２３が弾性変形した際に、その弾性変形状態を規制する変形規制部２７を備えているので、鍵６が押鍵操作されて摩擦変形部２３の第１、第２の各アーム部２４、２５が下側に回転変位した際に、第２のアーム部２５が変形規制部２７に当接して摩擦変形部２３の弾性変形を規制することができる。このため、鍵６が押し下げられて鍵６の内側面６ａと摩擦アーム部２６との間に発生する摩擦抵抗が増大しても、その摩擦抵抗が一定以上に増大しないように抑制することができる。
【００６７】
また、この鍵盤楽器では、負荷付与解除部２９が、押鍵操作された鍵６の押し下げ動作が終了する際に、負荷付与部材２０を鍵６の内側面６ａから離間させるための段差凹部２９ａであるから、鍵６の肉厚を薄くするだけの簡単な構造で、押鍵操作された鍵６の押し下げ動作が終了する際に、負荷付与部材２０を負荷付与解除部２９の段差凹部２９ａに対応させることができ、これにより負荷付与部材２０を鍵６の内側面６ａから離間させることができるので、鍵６に対する負荷付与部材２０による負荷を確実に且つ速やかに解除することができる。
【００６８】
この場合、負荷付与解除部２９は、鍵６が押鍵操作されて、鍵６の内側面６ａと摩擦アーム部２６との間に発生させる摩擦抵抗が増大し、鍵６に対する負荷付与部材２０の摩擦抵抗が最大になった際に、負荷付与部材２０を鍵６の内側面６ａから離間させるので、鍵荷重を急激に軽くして鍵荷重が抜ける鍵タッチ感を得ることができる。これにより、アコースティックピアノに近似した鍵タッチ感を得ることができると共に、負荷付与部材２０の摩擦変形部２３を速やかに元の形状に弾性復帰させることができ、これにより鍵６の初期位置への復帰を容易にすることができる。
【００６９】
また、鍵６の内側面６ａと負荷付与部材２０との間には、粘性を有する潤滑剤２８が設けられていることにより、鍵６が押鍵操作されて押し下げられる際に、鍵６の内側面６ａと共に下側に移動する潤滑剤２８の粘性によって、摩擦変形部２３の摩擦アーム部２６を引き下げながら第１、第２の各アーム部２４、２５を下側に回転変位させることができ、これにより摩擦アーム部２６を鍵６の内側面６ａに接触させて摩擦抵抗を確実に発生させることができると共に、鍵６の押し下げ動作が終了する際に、鍵６に対する負荷付与部材２０による負荷を確実に解除することができる。
【００７０】
このように、この鍵盤楽器によれば、鍵６が押鍵操作されて摩擦変形部２３の第２のアーム部２５が変形規制部２７に当接した際に、潤滑剤２８によって摩擦アーム部２６と鍵６の内側面６ａとを相対的に滑らせながら摺動させることができ、また鍵６の押鍵操作が終了する際には、負荷付与解除部２９の段差凹部２９ａによって摩擦変形部２３の摩擦アーム部２６と鍵６の内側面６ａとが潤滑剤２８を介して離れるので、摩擦変形部２３による摩擦抵抗を解除することができる。これにより、摩擦変形部２３を元の形状に容易に戻すことができるので、鍵６が摩擦抵抗の影響をほとんど受けずに、鍵６を初期位置に速やかに且つ良好に復帰させることができる。
【００７１】
また、この鍵盤楽器では、鍵ガイド部１１が鍵盤シャーシ２にそれぞれ一体に形成されており、複数の負荷付与部材２０が鍵ガイド部１１にそれぞれ一体に形成されており、複数の負荷付与解除部２９が複数の鍵６にそれぞれ一体に形成されていることにより、複数の鍵６ごとに負荷付与部材２０および負荷付与解除部２９を備えていても、生産性の向上を図ることができる。
【００７２】
すなわち、複数の鍵６ごとに負荷付与部材２０および負荷付与解除部２９を備えていても、鍵盤シャーシ２を成形する成形用金型によって複数の負荷付与部材２０を複数の鍵ガイド部１１および鍵盤シャーシ２と共に一度に成形することができると共に、鍵６を成形する成形用金型によって複数の負荷付与解除部２９を複数の鍵６と共に一度に成形することができる。このため、生産性が良く、従来例のようなハンマー部材を用いた場合に比べて、部品点数を大幅に削減することができ、これにより組立作業性の向上を図ることができると共に、低価格化をも図ることができる。
【００７３】
（実施形態２）
次に、図６〜図８を参照して、この発明を鍵盤楽器に適用した実施形態２について説明する。なお、図１〜図５に示された実施形態１と同一部分には同一符号を付して説明する。
この鍵盤楽器は、図６に示すように、鍵６の押鍵操作時に鍵６に対して負荷を付与する負荷付与部材３０と、押鍵操作された鍵６の押し下げ動作が終了する際に、その鍵６に対する負荷付与部材３０による負荷の付与を解除する負荷付与解除部３６とが、実施形態１と異なる構成であり、これ以外は実施形態１とほぼ同じ構成になっている。
【００７４】
この負荷付与部材３０は、実施形態１と同様、ポリプロピレンなどの合成樹脂からなり、図６に示すように、鍵ガイド部１１に設けられた一対のベース部３１と、この一対のベース部３１にそれぞれ設けられた一対の支持部３２と、この一対の支持部３２にそれぞれ設けられた一対の摩擦変形部３３とを備えている。一対のベース部３１は、実施形態１と同様、鍵ガイド部１１の上部に起立した状態でそれぞれ一体に形成されている。
【００７５】
一対の支持部３２は、一対のベース部３１上における鍵６の内側面６ａに接近する各端部にそれぞれ起立して鍵６の内部に挿入する状態で一体に形成されている。一対の摩擦変形部３３は、実施形態１と同様、鍵６が押鍵操作された際にこの押鍵操作された鍵６との間に生じる摩擦抵抗に応じて弾性変形し、この弾性変形に伴う負荷を鍵６に対して付与するように構成されている。この場合、負荷付与部材３０に対応する箇所における鍵６内の中心部には、柱状の摩擦突起部３４が垂下されている。
【００７６】
この負荷付与部材３０の摩擦変形部３３は、図６に示すように、一対の支持部３２の上下部に第１、第２の各屈曲部２４ａ、２５ａを介して鍵６の摩擦突起部３４に向けて斜め上方に延びた状態で設けられた第１、第２の各アーム部２４、２５と、この第１、第２の各アーム部２４、２５の各先端部にそれぞれ第３の屈曲部２６ａを介して上下に張り渡された摩擦アーム部２６とを備えている。
【００７７】
第１のアーム部２４は、図６に示すように、一対の支持部３２の各上端部から鍵６の摩擦突起部３４に向けて斜め上方に延びた状態で、第１の屈曲部２４ａを介して一対の支持部３２にそれぞれ一体に形成されている。第２のアーム部２５は、一対の支持部３２の下端部から鍵６の摩擦突起部３４に向けて斜め上方に延びた状態で、第２の屈曲部２５ａを介して一対の支持部３２にそれぞれ一体に形成されている。
【００７８】
この場合においても、第２のアーム部２５は、図６に示すように、第１のアーム部２４と同じ長さで、且つ第１のアーム部２４と平行に形成されている。また、第１、第２の各屈曲部２４ａ、２５ａは、実施形態１と同様、肉厚の薄い薄肉部に形成された樹脂ヒンジ部であり、図６〜図８に示すように、それぞれ屈曲変形することにより、第１、第２の各アーム部２４、２５を上下方向に回転変位させるように構成されている。
【００７９】
また、摩擦アーム部２６は、図６に示すように、その上部が第３の屈曲部２６ａを介して第１のアーム部２４の先端部に一体に形成されていると共に、下部が第３の屈曲部２６ａを介して第２のアーム部２５の先端部に一体に形成されていることにより、鍵６の摩擦突起部３４と平行な状態で上下方向に張り渡されている。
【００８０】
この摩擦アーム部２６は、図６〜図８に示すように、鍵６が押鍵操作された際に、鍵６の摩擦突起部３４に接離可能な状態で接触して摺動することにより、押鍵操作された鍵６の摩擦突起部３４との間に摩擦抵抗が発生するように構成されている。また、この第３の各屈曲部２６ａも、肉厚の薄い薄肉部に形成された樹脂ヒンジ部であり、図６〜図８に示すように、それぞれ屈曲変形することにより、摩擦アーム部２６を鍵６の摩擦突起部３４に沿って上下方向に変位させるように構成されている。
【００８１】
これにより、摩擦変形部３３は、図６に示すように、全体が平行四辺形をなすリンク形状に形成されていると共に、鍵６の摩擦突起部３４を中心として一対の支持部３２と共に線対称な状態で形成されている。このため、この摩擦変形部３３は、図６〜図８に示すように、鍵６が押鍵操作された際に、摩擦アーム部２６が鍵６の摩擦突起部３４の両側面３４ａに接離可能な状態で接触しながら摺動することにより、押鍵操作された鍵６の摩擦突起部３４との間に摩擦抵抗が発生するように構成されている。
【００８２】
また、この摩擦変形部３３は、図６および図７に示すように、鍵６が押鍵操作されて鍵６の摩擦突起部３４との間に摩擦抵抗が発生した際に、その摩擦抵抗によって第１、第２の各アーム部２４、２５が第１、第２の各屈曲部２４ａ、２５ａを中心にそれぞれ下側に回転変位し、この第１、第２の各アーム部２４、２５の回転変位に伴って摩擦アーム部２６が鍵６の摩擦突起部３４に押し付けられることにより、摩擦抵抗が増大するように構成されている。
【００８３】
一方、この負荷付与部材３０においても、図６〜図８に示すように、鍵６が押鍵操作されて一対の摩擦変形部３３が弾性変形した際に、その弾性変形状態を規制する一対の変形規制部３５を備えている。この一対の変形規制部３５は、一対の支持部３２の間に位置する各ベース部３１の上部にそれぞれ摩擦突起部３４に向けて斜め上方に緩やかに傾斜して設けられている。この変形規制部３５も、実施形態１と同様、鍵６が押鍵操作されて摩擦変形部３３の第１、第２の各アーム部２４、２５が下側に回転変位した際に、第２のアーム部２５が上方から当接することにより、摩擦変形部３３の弾性変形を規制するように構成されている。
【００８４】
また、複数の鍵６には、図６〜図８に示すように、押鍵操作された鍵６の押し下げ動作が終了する際に、その鍵６に対する負荷付与部材３０による負荷の付与を解除する負荷付与解除部３６が設けられている。この負荷付与解除部３６は、押鍵操作された鍵６の押し下げ動作が終了する際に、負荷付与部材３０の摩擦変形部３３を鍵２の摩擦突起部３４の両側面３４ａから離間させるための段差凹部３６ａである。
【００８５】
すなわち、この負荷付与解除部３６の段差凹部３６ａは、図７および図８に示すように、鍵６が押し下げられて負荷付与部材３０の摩擦変形部３３が弾性変形し、この弾性変形した摩擦変形部３３が変形規制部３５によって規制されて摩擦抵抗が最大になった際に、摩擦変形部３３の摩擦アーム部２６を鍵２の摩擦突起部３４の両側面３４ａから離間させるために、摩擦突起部３４の両側面３４ａを削り取って摩擦突起部３４の肉厚を薄くした構成になっている。
【００８６】
この場合、負荷付与解除部３６の段差凹部３６ａは、図７に示すように、鍵６が押し下げられて負荷付与部材３０の摩擦変形部３３が変形規制部３５によって規制されて摩擦抵抗が最大になり、この状態で鍵６が更に押し下げられ、図８に示すように、その押し下げ動作が終了する際に、摩擦変形部３３の摩擦アーム部２６の下端部が対応する鍵６の摩擦突起部３４の両側面３４ａの位置から摩擦突起部３４の両側面３４ａの上端部に亘って、摩擦突起部３４の肉厚を薄く形成した構成になっている。
【００８７】
また、この負荷付与部材３０と鍵６の摩擦突起部３４との間にも、実施形態１と同様、粘性を有する潤滑剤２８が設けられている。この潤滑剤２８も、粘性を有する液状、またはゲル状（ゼリー状）のものであり、押鍵操作した際における鍵タッチ感に合う最適な粘性を有し、負荷付与部材３０における摩擦変形部３３の摩擦アーム部２６と鍵６の摩擦突起部３４との間に塗布されている。
【００８８】
この潤滑剤２８は、図６に示すように、鍵６が押鍵操作されて押し下げられる際に、鍵６の摩擦突起部３４と共に下側に移動する潤滑剤２８の粘性によって、摩擦変形部３３の摩擦アーム部２６を引き下げながら第１、第２の各アーム部２４、２５を下側に回転変位させることにより、摩擦アーム部２６を鍵６の摩擦突起部３４に接触させて摩擦抵抗を発生させるように構成されている。また、この潤滑剤２８は、図７に示すように、鍵６が押鍵操作されて摩擦変形部３３の第２のアーム部２５が変形規制部３５に当接した際に、摩擦アーム部２６と鍵６の摩擦突起部３４とを相対的に滑らせながら摺動させるように構成されている。
【００８９】
さらに、この潤滑剤２８は、図８に示すように、鍵６が押鍵操作されて下限ストッパ部１２ｃによって下限位置に規制された際に、摩擦アーム部２６と鍵６の摩擦突起部３４とが相対的に滑ることにより、摩擦変形部３３の摩擦アーム部２６の全体が鍵６の摩擦突起部３４の両側面３４ａにおける負荷付与解除部３６の段差凹部３６ａに対面して摩擦突起部３４の両側面３４ａから離れることにより、摩擦変形部３３の摩擦アーム部２６と鍵６の摩擦突起部３４との間に発生した摩擦抵抗を解除し、摩擦変形部３３を図６に示す元の形状に戻すように構成されている。
【００９０】
このような鍵盤楽器において、負荷付与部材３０を成形用金型で成形する場合には、実施形態１と同様、上金型と下金型とからなる成形用金型、およびスライドコアを用いて、複数の鍵ガイド部１１および鍵盤シャーシ２と一体に成形することができる。また、鍵６を成形用金型で成形する場合には、実施形態１と同様、鍵６を成形するための成形用金型、およびスライドコアを用いて、負荷付与解除部３６が形成された鍵６を形成することができる。
【００９１】
次に、この鍵盤楽器で演奏をする場合について説明する。
この場合にも、実施形態１と同様、鍵６を押鍵操作することにより、演奏することができる。すなわち、鍵６が押鍵操作されて図１において反時計回りに回転すると、鍵６のスイッチ押圧部１７がスイッチ基板１４上のスイッチ部１６を押圧し、この押圧されたスイッチ部１６がスイッチ信号を出力する。これにより、楽音が発音される。
【００９２】
このように鍵６が押鍵操作されて図１において反時計回りに回転するときには、図７に示すように、負荷付与部材３０の一対の摩擦変形部３３が鍵６の摩擦突起部３４によって弾性変形して、鍵６に負荷を付与する。すなわち、鍵６が押鍵操作されて押し下げられる際には、鍵６の摩擦突起部３４と共に下側に移動する潤滑剤２８の粘性によって、摩擦変形部３３の摩擦アーム部２６が引き下げながら第１、第２の各アーム部２４、２５を下側に回転変位させる。
【００９３】
これにより、図７に示すように、摩擦アーム部２６が鍵６の摩擦突起部３４の両側面３４ａに押し付けられるので、摩擦変形部３３と鍵６の摩擦突起部３４との間に摩擦抵抗が発生し、この摩擦抵抗によって鍵６に対して負荷が付与され、鍵荷重が重くなる。このときには、鍵６の荷重が、図５に曲線Ａで示したように、急速に上昇し、鍵タッチが重くなる。
【００９４】
そして、鍵６が更に押し下げられて、摩擦変形部３３の第１、第２の各アーム部２４、２５が鍵６の摩擦突起部３４と共に下側に回転変位すると、図７に示すように、第２のアーム部２５が変形規制部３５に上方から当接して、摩擦変形部３３の弾性変形が規制され、摩擦抵抗が最大になる。この状態で、鍵６が更に押し下げられると、図８に示すように、摩擦アーム部２６が鍵６の負荷付与解除部３６の段差凹部３６ａに対面し、摩擦アーム部２６が摩擦突起部３４の両側面３４ａから離れる。
【００９５】
このため、鍵６に対する摩擦アーム部２６の摩擦抵抗が急激に減少するので、鍵６の鍵荷重が急激に軽くなり、鍵荷重が抜ける鍵タッチ感が得られる。このときには、図５に曲線Ａで示したように、鍵６が押し下げられるに伴って、鍵荷重が徐々に増加するが、鍵６が更に押し下げられて、摩擦アーム部２６の全体が鍵６の負荷付与解除部３６の段差凹部３６ａに対面する際に、図５に曲線Ｂで示したように、摩擦アーム部２６による摩擦抵抗が極端に減少するため、鍵荷重が急激に軽くなり、鍵６に鍵荷重が抜ける鍵タッチ感が生じる。
【００９６】
この後、鍵６に設けられた鍵突起部１３のフック部１３ａが鍵盤シャーシ２の下限ストッパ部１２ｃに当接するので、図５に曲線Ｃで示したように、鍵６の荷重が再び急激に上昇し、鍵タッチが更に重くなる。この後、鍵２は、図１に示したスイッチ部１６の膨出部１６ｂの弾性復帰力および鍵６の屈曲部７ａ、８ａの弾性復帰力によって初期位置に戻る。
【００９７】
このときには、図８に示すように、摩擦変形部３３の摩擦アーム部２６が鍵６の負荷付与解除部３６の段差凹部３６ａに対面し、摩擦突起部３４の両側面３４ａに対する摩擦アーム部２６による摩擦抵抗が解除されているので、摩擦変形部３３が第１〜第３の各屈曲部２４ａ、２５ａ、２６ａの弾性復帰力によって速やかに元の形状に弾性復帰する。これにより、鍵６が円滑に且つスムーズに上方に回転移動し、図５に曲線Ｄで示したように、鍵６の荷重が急激に低下する。
【００９８】
そして、鍵盤６が更に上方に回転移動して摩擦変形部３３の摩擦アーム部２６が鍵６の負荷付与解除部３６の段差凹部３６ａから下側に相対的にずれると、摩擦変形部３３の摩擦アーム部２６が摩擦突起部３４の両側面３４ａに接近するので、摩擦アーム部２６による摩擦抵抗が少し発生し、図５の曲線Ｅに示したように、鍵６の荷重が少し重くなる。
【００９９】
しかし、このときには、負荷付与部材３６の第１、第２の各アーム部２４、２５が第１、第２の各屈曲部２４ａ、２５ａを中心に上方に向けて回転するので、摩擦アーム部２６による摩擦抵抗は増大せず、スイッチ部１６の膨出部１６ｂの弾性復帰力および鍵６の屈曲部７ａ、８ａの弾性復帰力によって、鍵６が円滑に且つスムーズに上方に回転移動する。このため、図５に曲線Ｆで示したように、鍵６の荷重は初期状態の鍵荷重に戻り、鍵６を速やかに初期位置に向けて戻す。
【０１００】
このときには、実施形態１と同様、スイッチ部１６がスイッチ押圧部１７を押し上げて初期状態に戻り、スイッチ部１６の膨出部１６ｂ内の可動接点がスイッチ基板１４の固定接点から上方に離れるので、スイッチ部１６がオフになり、楽音の発音が停止される。この後、鍵６に設けられた鍵突起部１３のフック部１３ａが鍵盤シャーシ２の上限ストッパ部１２ｂに当接して、鍵６が初期位置に規制され、次の押鍵準備に備える。
【０１０１】
このように、この鍵盤楽器においても、複数の鍵６が上下方向に回転可能に取り付けられた状態で並列に配列された鍵盤シャーシ２上に設けられ、複数の鍵６をそれぞれ上下方向にガイドする複数の鍵ガイド部１１と、この複数の鍵ガイド部１１にそれぞれ設けられ、複数の鍵６を押鍵操作した際に、その押鍵操作された鍵６に対して摩擦抵抗による負荷をそれぞれ付与する複数の負荷付与部材３０と、押鍵操作された鍵６の押し下げ動作が終了する際に、その鍵６に対する負荷付与部材３０による負荷の付与をそれぞれ解除する複数の負荷付与解除部３６と、を備えていることにより、実施形態１と同様、ハンマー部材を用いずに、押鍵操作時にアコースティックピアノに近似した鍵タッチ感を得ることができる。
【０１０２】
すなわち、この鍵盤楽器においても、鍵６を押鍵操作した際に、その押鍵操作された鍵６に対して負荷付与部材３０が摩擦抵抗による負荷を付与するので、鍵荷重を重くすることができると共に、押鍵終了後または押鍵終了付近では負荷付与解除部３６によって負荷付与部材３０による摩擦抵抗を解除するので、鍵荷重を急激に軽くして鍵荷重が抜ける鍵タッチ感を得ることができ、これにより鍵６を速やかに初期位置に向けて戻し、次の押鍵準備に備えることができるので、演奏性を向上させることができる。
【０１０３】
このため、このような鍵盤楽器でも、実施形態１と同様、従来例のようなハンマー部材を用いなくても、押鍵操作時に鍵６に負荷を付与して鍵タッチを確実に重くすることができると共に、負荷付与解除部３６によって鍵荷重を急激に軽くして鍵荷重が抜ける鍵タッチ感を得ることができるので、アコースティックピアノに近似した鍵タッチ感を得ることができる。また、従来例のように重量の重いハンマー部材を用いる必要がないので、楽器全体の重量を大幅に軽くすることができ、これにより手軽に鍵盤楽器を持ち運ぶことができると共に、低価格なものを提供することができる。
【０１０４】
この場合、負荷付与部材３０は、鍵ガイド部１１に設けられた一対の支持部３２と、この一対の支持部３２にそれぞれ設けられて鍵６が押鍵操作された際にこの押鍵操作された鍵６の摩擦突起部３４との間に生じる摩擦抵抗に応じて弾性変形し、この弾性変形に伴う負荷を鍵６に対して付与する一対の摩擦変形部３３とを備えていることにより、鍵６が押鍵操作されると、鍵６の摩擦突起部３４と一対の摩擦変形部３３との間に摩擦抵抗を発生させ、この摩擦抵抗によって一対の摩擦変形部３３を弾性変形させることができ、この一対の摩擦変形部３３の弾性変形によって、摩擦抵抗を増大させることができるので、鍵荷重を確実に且つ急速に重くすることができる。
【０１０５】
また、一対の支持部３２は、鍵６の内部に下側から挿入された状態で鍵ガイド部１１に設けられており、摩擦変形部３３は、一対の支持部３２の上下部に第１、第２の各屈曲部２４ａ、２５ａを介して斜め上方に向けて延びた状態で設けられた第１、第２の各アーム部２４、２５と、この第１、第２の各アーム部２４、２５の各先端部にそれぞれ第３の屈曲部２６ａを介して上下に張り渡され、鍵６の摩擦突起部３４の両側面３４ａに接離可能な状態で接触して摺動する摩擦アーム部２６とを備えているので、実施形態１と同様、鍵６が押鍵操作されて押し下げられる際に、第１、第２の各アーム部２４、２５によって摩擦アーム部２６を鍵６の摩擦突起部３４の両側面３４ａに押し付けることができ、この押し付けに伴う負荷を鍵６に対して確実に付与することができる。
【０１０６】
すなわち、鍵６が押鍵操作されて押し下げられる際には、鍵６の摩擦突起部３４の両側面３４ａと摩擦アーム部２６との間に摩擦抵抗が発生し、この摩擦抵抗によって第１、第２の各屈曲部２４ａ、２５ａが屈曲しながら第１、第２の各アーム部２４、２５を回転変位させて摩擦アーム部２６を鍵６の摩擦突起部３４に確実に押し付けることができる。このため、鍵６の押し下げに伴って第１、第２の各アーム部２４、２５の回転変位が徐々に増大するので、鍵６の摩擦突起部３４と摩擦アーム部２６との間に発生させる摩擦抵抗を急速に増大させることができ、これにより鍵荷重を速やかに重くすることができる。
【０１０７】
また、負荷付与部材３０は、鍵６が押鍵操作されて一対の摩擦変形部３３が弾性変形した際に、その弾性変形状態を規制する変形規制部３５を備えているので、実施形態１と同様、鍵６が押鍵操作されて摩擦変形部３３の第１、第２の各アーム部２４、２５が下側に回転変位した際に、第２のアーム部２５が変形規制部３５に当接して摩擦変形部３３の弾性変形を規制することができる。このため、鍵６が押し下げられて鍵６の摩擦突起部３４と摩擦アーム部２６との間に発生する摩擦抵抗が増大しても、その摩擦抵抗が一定以上に増大しないように抑制することができる。
【０１０８】
また、この鍵盤楽器では、負荷付与解除部３６が、押鍵操作された鍵６の押し下げ動作が終了する際に、負荷付与部材３０を鍵６の摩擦突起部３４の両側面３４ａから離間させるための段差凹部３６ａであるから、実施形態１と同様、鍵６の摩擦突起部３４の肉厚を薄くするだけの簡単な構造で、押鍵操作された鍵６の押し下げ動作が終了する際に、負荷付与部材３０が負荷付与解除部３６の段差凹部３６ａに対応させることができ、これにより負荷付与部材３０を鍵６の摩擦突起部３４の両側面３４ａから離間させることができるので、鍵６に対する負荷付与部材３０による負荷を確実に且つ速やかに解除することができる。
【０１０９】
この場合、負荷付与解除部３６は、鍵６が押鍵操作されて、鍵６の摩擦突起部３４の両側面３４ａと摩擦アーム部２６との間に発生させる摩擦抵抗が増大し、鍵６に対する負荷付与部材３０の摩擦抵抗が最大になった際に、負荷付与部材３０を鍵６の摩擦突起部３４の両側面３４ａから離間させるので、鍵荷重を急激に軽くして鍵荷重が抜ける鍵タッチ感を得ることができる。これにより、アコースティックピアノに近似した鍵タッチ感を得ることができると共に、負荷付与部材３０の摩擦変形部３３を速やかに元の形状に弾性復帰させることができ、これにより鍵６の初期位置への復帰を容易にすることができる。
【０１１０】
また、鍵６の摩擦突起部３４と負荷付与部材３０との間には、粘性を有する潤滑剤２８が設けられていることにより、鍵６が押鍵操作されて押し下げられる際に、鍵６の摩擦突起部３４と共に下側に移動する潤滑剤２８の粘性によって、摩擦変形部３３の摩擦アーム部２６を引き下げながら第１、第２の各アーム部２４、２５を下側に回転変位させることができ、これにより摩擦アーム部２６を鍵６の摩擦突起部３４の両側面３４ａに接触させて摩擦抵抗を確実に発生させることができると共に、押鍵操作された鍵６の押し下げ動作が終了する際に、鍵６に対する負荷付与部材３０による負荷を確実に解除することができる。
【０１１１】
このように、この鍵盤楽器によれば、鍵６が押鍵操作されて摩擦変形部３３の第２のアーム部２５が変形規制部３５に当接した際に、潤滑剤２８によって摩擦アーム部２６と鍵６の摩擦突起部３４とを相対的に滑らせながら摺動させることができ、また鍵６の押鍵操作が終了する際には、負荷付与解除部３６の段差凹部３６ａによって摩擦変形部３３の摩擦アーム部２６と鍵６の摩擦突起部３４の両側面３４ａとが潤滑剤２８を介して離れるので、摩擦変形部３３による摩擦抵抗を解除することができる。これにより、摩擦変形部３３を元の形状に容易に戻すことができるので、鍵６が摩擦抵抗の影響をほとんど受けずに、鍵６を初期位置に速やかに且つ良好に復帰させることができる。
【０１１２】
また、この鍵盤楽器においても、複数の鍵ガイド部１１も鍵盤シャーシ２にそれぞれ一体に形成されており、複数の負荷付与部材３０が複数の鍵ガイド部１１にそれぞれ一体に形成されており、複数の負荷付与解除部３６が複数の鍵６の各摩擦突起部３４にそれぞれ一体に形成されていることにより、複数の鍵６ごとに負荷付与部材３０および負荷付与解除部３６を備えていても、生産性の向上を図ることができる。
【０１１３】
すなわち、複数の鍵６ごとに負荷付与部材３０および負荷付与解除部３６を備えていても、鍵盤シャーシ２を成形する成形用金型によって複数の負荷付与部材３０を複数の鍵ガイド部１１および鍵盤シャーシ２と共に一度に成形することができると共に、鍵６を成形する成形用金型によって複数の負荷付与解除部３６を複数の鍵６と共に一度に成形することができる。このため、実施形態１と同様、生産性が良く、従来例のようなハンマー部材を用いた場合に比べて、部品点数を大幅に削減することができ、これにより組立作業性の向上を図ることができると共に、低価格化をも図ることができる。
【０１１４】
（実施形態３）
次に、図９〜図１１を参照して、この発明を鍵盤楽器に適用した実施形態３について説明する。この場合にも、図１〜図５に示された実施形態１と同一部分には同一符号を付して説明する。
この鍵盤楽器は、図９に示すように、鍵６の押鍵操作時に鍵６に対して負荷を付与する負荷付与部材４０の摩擦変形部４１が、実施形態１と異なる構成であり、これ以外は実施形態１とほぼ同じ構成になっている。
【０１１５】
すなわち、この負荷付与部材４０は、粘性を有する潤滑剤２８を用いずに、摩擦変形部４１を鍵６の内側面６ａに直接接触させるように構成されている。このため、負荷付与部材４０の摩擦変形部４１は、支持部２２の上下部に一体に形成された第１、第２の各アーム部２４、２５にそれぞれ切欠き溝５２を形成した構成になっている。
【０１１６】
このような鍵盤楽器において、鍵６を押鍵操作した場合には、図１０に示すように、負荷付与部材５０の摩擦変形部５１が弾性変形し、この弾性変形に伴う摩擦抵抗による負荷を鍵６に対して付与する。すなわち、鍵６が押鍵操作されて押し下げられる際には、摩擦変形部４１の摩擦アーム部２６が鍵６の内側面６ａによって押し下げながら第１、第２の各アーム部２４、２５を下側に回転変位させる。
【０１１７】
これにより、図１０に示すように、摩擦アーム部２６が鍵６の内側面６ａに押し付けられるので、摩擦変形部４１と鍵６の内側面６ａとの間に摩擦抵抗が発生し、この摩擦抵抗によって鍵６に対して負荷が付与され、鍵荷重が重くなる。そして、鍵６が更に押し下げられて、摩擦変形部４１の第１、第２の各アーム部２４、２５が下側に回転変位すると、図１０に示すように、第２のアーム部２５が変形規制部２７に当接して、摩擦変形部４１の弾性変形が規制される。
【０１１８】
すなわち、第２のアーム部２５が変形規制部２７に当接すると、第１、第２のアーム部２４、２５に設けられた各切欠き溝４２によって、第１、第２のアーム部２４、２５が折れ曲がり、これにより摩擦変形部４１の弾性変形が規制される。この状態で、鍵６が更に押し下げられると、第１、第２の各アーム部２５が更に折れ曲がり、摩擦抵抗が最大になる。すると、摩擦変形部４１の摩擦アーム部２６が鍵６の負荷付与解除部２９の段差凹部２９ａに対面し、摩擦アーム部２６が鍵２の内側面６ａから離れる。
【０１１９】
このため、実施形態１と同様、鍵６に対する摩擦アーム部２６の摩擦抵抗が急激に減少するので、鍵６の鍵荷重が急激に軽くなり、鍵荷重が抜ける鍵タッチ感が得られる。このときには、図１１に示すように、摩擦変形部４１が元の形状に戻る。これにより、摩擦変形部４１は、摩擦抵抗による負荷を鍵６に対して付与することがないので、スイッチ部１６の膨出部１６ｂの弾性復帰力および鍵６の屈曲部７ａ、８ａの弾性復帰力によって、鍵６が円滑に且つスムーズに上方に回転移動して、図９に示す初期位置に戻る。
【０１２０】
このように、この鍵盤楽器によれば、鍵盤シャーシ２上に設けられて複数の鍵６をそれぞれ上下方向にガイドする複数の鍵ガイド部１１と、この複数の鍵ガイド部１１にそれぞれ設けられ、複数の鍵６を押鍵操作した際に、その押鍵操作された鍵６に対して摩擦抵抗による負荷をそれぞれ付与する複数の負荷付与部材４０と、複数の鍵６にそれぞれ設けられ、押鍵操作された鍵６の押し下げ動作が終了する際に、その鍵６に対する負荷付与部材２０による負荷の付与をそれぞれ解除する複数の負荷付与解除部２９と、を備えていることにより、実施形態１と同様、ハンマー部材を用いずに、押鍵操作時にアコースティックピアノに近似した鍵タッチ感を得ることができるほか、粘性を有する潤滑剤２８を用いずに、複数の負荷付与部材４０によって各鍵６に負荷を付与することができる。
【０１２１】
すなわち、この鍵盤楽器では、負荷付与部材４０の摩擦変形部４１が、支持部２２の上下部に一体に形成された第１、第２の各アーム部２４、２５にそれぞれ切欠き溝５２を形成した構成であるから、鍵６を押鍵操作した際に、摩擦変形部４１における摩擦アーム部２６が鍵６の内側面６ａに押し付けられて摩擦抵抗が増大しても、その摩擦抵抗が一定以上に増大した際に、第１、第２の各アーム部２４、２５が切欠き溝４２によって折れ曲がるように弾性変形して摩擦抵抗を逃がすことができる。このため、摩擦変形部４１を元の形状に戻して鍵６を初期位置に復帰させることができる。
【０１２２】
なお、上述した実施形態３では、負荷付与部材４０として、潤滑剤２８を用いずに、実施形態１の負荷付与部材２０の第１、第２の各アーム部２４、２５にそれぞれ切欠き溝４２を形成した場合について述べたが、これに限らず、例えば実施形態２の負荷付与部材３０においても、潤滑剤２８を用いずに、第１、第２の各アーム部２４、２５にそれぞれ切欠き溝４２を形成した構成であっても良く、またこの実施形態３の負荷付与部材４１においても、潤滑剤２８を用いても良い。
【０１２３】
また、上述した実施形態１〜３では、負荷付与部材２０、３０、４０における摩擦変形部２３、３３、４１の第１、第２の各アーム部２４、２５および摩擦アーム部２６を合成樹脂で一体に成形した場合について述べたが、これに限らず、第１、第２の各アーム部２４、２５および摩擦アーム部２６をそれぞれ別部材として形成し、第１、第２の各アーム部２４、２５をそれぞれ支持部２２、３２に軸によって回転可能に取り付けると共に、この第１、第２の各アーム部２４、２５に摩擦アーム部２６の両端部をそれぞれ軸によって回転可能に取り付けたリンク機構として構成しても良い。
【０１２４】
さらに、また、上述した実施形態１〜３では、鍵６が白鍵７と黒鍵８とを有し、白鍵７がその各後端部に形成された薄肉の屈曲部７ａと、この屈曲部７ａが連結されて鍵６の配列方向に連続する共通支持部７ｂとを備え、黒鍵８がその各後端部に形成された薄肉の屈曲部８ａと、この屈曲部８ａが連結されて鍵６の配列方向に連続する共通支持部８ｂとを備えた構成である場合について述べたが、これに限らず、鍵６は、白鍵７の後端部と黒鍵８の後端部とを鍵盤シャーシ２の鍵支持部１８に設けられた支持軸にそれぞれ独立させた状態で回転可能に取り付けた構成のものであっても良い。
【０１２５】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【０１２６】
（付記）
請求項１に記載の発明は、複数の鍵が鍵盤シャーシ上に上下方向に回転可能に取り付けられた状態で並列に配列された鍵盤装置において、前記鍵盤シャーシ上に設けられ、前記複数の鍵をそれぞれ上下方向にガイドする複数の鍵ガイド部と、この複数の鍵ガイド部にそれぞれ設けられ、前記複数の鍵を押鍵操作した際に、その押鍵操作された前記鍵に対して摩擦抵抗による負荷をそれぞれ付与する複数の負荷付与部材と、前記複数の鍵にそれぞれ設けられ、押鍵操作された前記複数の鍵の押し下げ動作が終了する際に、その鍵に対する前記負荷付与部材による負荷の付与をそれぞれ解除する複数の負荷付与解除部と、を備えていることを特徴とする鍵盤装置である。
【０１２７】
請求項２に記載の発明は、請求項１に記載の鍵盤装置において、前記負荷付与部材は、前記鍵ガイド部に設けられた支持部と、この支持部に設けられて前記鍵が押鍵操作された際にこの押鍵操作された前記鍵との間に生じる摩擦抵抗に応じて変形し、この変形に伴う摩擦抵抗による負荷を前記鍵に対して付与する摩擦変形部とを備えていることを特徴とする鍵盤装置である。
【０１２８】
請求項３に記載の発明は、請求項２に記載の鍵盤装置において、前記摩擦変形部は、前記支持部の上下部に第１、第２の各屈曲部を介して斜め上方に向けて延びた状態で設けられた第１、第２の各アーム部と、この第１、第２の各アーム部の各先端部にそれぞれ第３の屈曲部を介して上下に張り渡され、前記鍵の内側面に接離可能な状態で接触して摺動する摩擦アーム部とを備えていることを特徴とする鍵盤装置である。
【０１２９】
請求項４に記載の発明は、請求項２または請求項３に記載の鍵盤装置において、前記負荷付与部材は、前記鍵を押鍵操作して前記摩擦変形部が弾性変形した際に、その弾性変形状態を規制する変形規制部を備えていることを特徴とする鍵盤装置である。
【０１３０】
請求項５に記載の発明は、請求項１〜請求項４のいずれかに記載の鍵盤装置において、前記負荷付与解除部は、押鍵操作された前記鍵の押し下げ動作が終了する際に、前記負荷付与部材を前記鍵の摺動面から離間させるための段差凹部であることを特徴とする鍵盤装置である。
【０１３１】
請求項６に記載の発明は、請求項１〜請求項５のいずれかに記載の鍵盤装置において、前記鍵と前記負荷付与部材との間には、粘性を有する潤滑剤が設けられていることを特徴とする鍵盤装置である。
【０１３２】
請求項７に記載の発明は、請求項１〜請求項６のいずれかに記載の鍵盤装置において、前記複数の鍵ガイド部は前記鍵盤シャーシにそれぞれ一体に形成されており、前記複数の負荷付与部材は前記複数の鍵ガイド部にそれぞれ一体に形成されており、前記複数の負荷付与解除部は前記複数の鍵にそれぞれ一体に形成されていることを特徴とする鍵盤装置である。
【符号の説明】
【０１３３】
１  楽器ケース
２  鍵盤シャーシ
６  鍵
６ａ  鍵の各内側面
１１  鍵ガイド部
２０、３０、４０  負荷付与部材
２２、３２  支持部
２３、３３、４１  摩擦変形部
２４  第１のアーム部
２４ａ  第１の屈曲部
２５  第２のアーム部
２５ａ  第２の屈曲部
２６  摩擦アーム部
２６ａ  第３の屈曲部
２７、３５  変形規制部
２８  潤滑剤
２９、３６  負荷付与解除部
２９ａ、３６ａ  段差凹部
３４  摩擦突起部
３４ａ  摩擦突起部の両側面
４２  切欠き溝
【図１】
0005648845.tif 000002
【図２】
0005648845.tif 000003
【図３】
0005648845.tif 000004
【図４】
0005648845.tif 000005
【図５】
0005648845.tif 000006
【図６】
0005648845.tif 000007
【図７】
0005648845.tif 000008
【図８】
0005648845.tif 000009
【図９】
0005648845.tif 000010
【図１０】
0005648845.tif 000011
【図１１】
0005648845.tif 000012